(57)【要約】【課題】低熱の液体を注いでも外面側に結露の生じない簡便構造の非結露容器を提供する。【解決手段】コップ１の内部には密閉空隙部２が続して形成される。この密閉空隙部の存在により、コップ１の熱伝導率が大幅に低下し、低熱な液体を入れても外表面や底表面への温度低下がなくなる。これにより、外面側への結露の発生が防止される。【選択図】図１
2005088898.tif 000002
【特許請求の範囲】
【請求項１】
内部に低熱又は高熱の液体が注入されると共に外面を素手で保持して前記液体を飲み込むために使用される容器であって、該容器は、単一又は複数の素材から形成され、その内部に密閉空隙部を形成することを特徴とする非結露容器。
【請求項２】
前記密閉空隙部が、前記容器外面及び底面に沿って連続して形成されることを特徴とする非結露容器。
【請求項３】
前記密閉空隙部が、注入される液体の温度と外気温度と該容器を形成する材質とに対応し、該容器の外表面や底表面に結露が発生しない容積のものからなることを特徴とする非結露容器。
【請求項４】
前記密閉空隙部が乾燥空気層又は略真空層からなることを特徴とする非結露容器。
【発明の詳細な説明】
【技術分野】
【０００１】
本発明は、紙やプラスチックやセラミックス等からなるコップや茶わん，どんぶり等の容器に係り、特に、低熱の液体の注入時においてその外表面や底表面に結露の生じない非結露容器に関する。
【背景技術】
【０００２】
例えば、図４に示すように温度ｔ1°の氷水や冷水１０を紙コップ１ｂに注入すると、このｔ1の温度が紙コップ１ｂ内に伝熱され、その外周面や底面を低温にする。外気側の温度ｔ2°がｔ2＞ｔ1の場合、紙コップ１ｂまわりの温度ｔ2の外気が冷却され、紙コップ１ｂの表面や底面に結露が生ずる。一方、逆に高温のコーヒーを紙コップ１ｂ内に注入し外気が低温の場合にも結露が生ずる。
【０００３】
結露が生ずると、紙コップ１ｂを保持する手の平が濡れ不快感が生ずると共に紙コップ１ｂをテーブル８上に乗せるとテーブル８上が汚れる不具合が生ずる。また、紙コップ１ｂの外表面は液体の注入によりすぐ冷たくなり、手の平で保持しずらくなる。このため、従来では、図５に示すように紙コップ１ｂの外面を断熱部材７で囲み断熱部材７を保持して飲水をする手段が用いられていた。また、テーブル８の表面が濡れないように敷物９やコースタ（図略）等を用いていた。また、容器自体を断熱性のものから形成し、外表面等が低温にならないようにする公知技術があり、例えば、「特許文献１」，「特許文献２」等が挙げられる。
【特許文献１】特表２０００−５１６８７５号（図１）
【特許文献２】特開２０００−１９０９３９号（図１）
【０００４】
特許文献１の特表２０００−５１６８７５号の「断熱性紙コップ」は内面側がフォーム化されない密度ポリエチレンからなり、この外面をフォーム化された低密度ポリエチレンで囲み全体として断熱性のある紙コップとしたものである。また、「特許文献２」の特開２００２−１９０９３９号の「発泡ポリプロピレン積層容器」は断熱性のある発泡ポリエチレン層を断熱性のある発泡ポリプロピレン層で囲んだ断熱性のある容器からなる。
【発明の開示】
【発明が解決しようとする課題】
【０００５】
図５に示した紙コップ１６の場合は、断熱部材７を用いる分だけコスト高となり、断熱部材７が別体の場合は使用の都度断熱部材７を紙コップ１ｂに嵌め込む必要があり、面倒である。また、図６に示すように敷物９を使用するとその処理が面倒であり、敷物９の廃却が必要となり廃棄物の増大化をまねく。また、「特許文献１」や「特許文献２」の容器は断熱性を有するため結露が生じにくいが、その構造から見てコスト高のものとなる。
【０００６】
本発明は、以上の問題点を解消するもので、比較的低コストで実施でき、外表面や底表面に結露の生じない非結露容器を提供することを目的とする。
【課題を解決するための手段】
【０００７】
本発明は、以上の目的を達成するために、請求項１の発明は、内部に低熱又は高熱の液体が注入されると共に外面を素手で保持して前記液体を飲み込むために使用される容器であって、該容器は、単一又は複数の素材から形成され、その内部に密閉空隙部を形成することを特徴とする。
【０００８】
また、請求項２の発明は、前記密閉空隙部が、前記容器外面及び底面に沿って連続して形成されることを特徴とする。
【０００９】
また、請求項３の発明は、前記密閉空隙部が、注入される液体の温度と外気温度と該容器を形成する材質とに対応し、該容器の外表面や底表面に結露が発生しない容積のものからなることを特徴とする。
【００１０】
また、請求項４の発明は、前記密閉空隙部が乾燥空気層又は略真空層からなることを特徴とする。
【発明の効果】
【００１１】
１）請求項１の非結露容器によれば、内部に密閉空隙部を形成することにより外表面等への熱伝導性が低下し、例えば、低熱の液体を注入しても容器の外表面や底表面の温度低下が低減する。これにより、結露の発生が防止される。
【００１２】
２）また、請求項２の非結露容器によれば、密閉空隙部を連続して形成することにより、外表面及び底表面への結露発生の完全化が図れる。
【００１３】
３）また、請求項３の非結露容器によれば、容器の材質や使用される液体や外気条件に対応する容積の密閉空隙部を設けることにより、非結露化により完全化が図れる。
４）また、請求項４の非結露容器によれば、密閉空隙部を乾燥空気層や略真空層にすることにより、非結露性の一層の向上が図れる。
【発明を実施するための最良の形態】
【００１４】
以下、本発明の非結露容器の実施の形態を図面を参照して詳述する。本発明の非結露容器としてはコップ，茶わん，どんぶり等のすべての容器が対象であり、その材質も各種のものが含まれ、素材も単一や複数のものが含まれるが、以下の発明では容器としてコップを採用し、その材質としては単一の紙又はプラスチックを用いたものについて説明するが、これに限定するものではない。いずれにしても本発明の非結露容器は内部に密閉空隙部を形成する構造のものを特徴とする。
【実施例１】
【００１５】
図１，図２は本発明に係るコップ１を示す。コップ１は例えば、プラスチック成形品からなり、内部に密閉空隙部２を形成するものからなる。この密閉空隙部２はコップ１の外面や底面に沿って連続して形成され、コップ１の内面側を外面側とを遮断する構造のものからなる。この密閉空隙部２が完全真空の場合は内面の熱は外面に伝達されないため、低熱の液体を注いでも外面側の温度はほとんど外気温に保持され、結露は生じない。また、この密閉空隙部が乾燥空気や通常の空気層の場合は、内部の熱は外面側に伝達されるが、空気の熱伝導率は訳０．０２４１ｗ／ｍ・ｋと極めて低いため断熱効果があり、外面側への熱伝導は極めて少ないものになる。即ち、この密閉空隙層２の形成により、特別の付属物を設けなくても又は特別の材質のものを使用しなくても非結露容器とすることができる。
【００１６】
この密閉空隙層２をどのような容積にすればよいかは、コップ１の材質や使用される液体の温度や使用される外気の温度等により変るため、これ等の各条件を考慮し、理論的又は実験的に決めることが望ましい。なお、この密閉空隙部２を材質が紙のものについて形成するには特別の製造方法や必要があり、また、プラスチックの場合は成形型等が必要になるが、公知技術を適用することにより、十分に可能である。
【実施例２】
【００１７】
図３（ａ），（ｂ）はコップ１を紙コップとした場合の本発明に係る非結露容器を製作する簡便の製作方法の一例を示すものである。この紙コップ１ａは、既存の第１の紙コップ３とこれよりやや小型の既存の第２の紙コップ４を用い、これを図３（ａ）のように重合し、その中間に支持台５や支持リング６を介存させる。この支持台５や支持リング６の寸法を適宜決めることにより、図３（ｂ）に示すように第１の紙コップ３と第２の紙コップ４との間に密閉空隙部２ａを形成することができる。なお、支持リング６を第１の紙コップ３や第２の紙コップ４側とに固着することが必要となるが、この固着は容易に可能である。また、支持台５や支持リング６は耐熱性の材料のものを用いることは勿論である。
【産業上の利用可能性】
【００１８】
本発明の非結露容器は紙コップやプラスチックのコップに限定されず、低熱又は高熱の液体の注入の必要性のあるすべての容器に適用される。特に、一般に冷水や氷水が注入されるコップに対しては適用性が高い。また、この製造方法もプラスチック成型等を用いることにより多量生産ができる。
【図面の簡単な説明】
【００１９】
【図１】本発明の非結露容器の１つであるコップの全体構造を示す軸断面図。
【図２】図１のＡ−Ａ線横断面図。
【図３】本発明に係る紙コップを簡便な方法で作るための製造方法の１つを示す模式的断面図。
【図４】従来のコップの軸断面図。
【図５】従来のコップを断熱部材で囲んだ状態を示す軸断面図。
【図６】従来のコップの使用時におけるテーブル等への汚れを防止するために使用する敷物を示す模式的斜視図。
【符号の説明】
【００２０】
１    コップ
１ａ  コップ
２    密閉空隙部
２ａ  密閉空隙部
３    第１の紙コップ
４    第２の紙コップ
５    支持台
６    支持リング
【図１】
2005088898.tif 000003
【図２】
2005088898.tif 000004
【図３】
2005088898.tif 000005
【図４】
2005088898.tif 000006
【図５】
2005088898.tif 000007
【図６】
2005088898.tif 000008